(57)【特許請求の範囲】
【請求項１】
光量が比較的大きい白色系の発光色を有する主光源と、それぞれ赤色系、緑色系、青色系の発光色を有し光量が調節自在な３種類の補助光源とを備え、配光の中心線方向において主光源が補助光源よりも前方に配置され、かつ少なくとも緑色系の発光色を有する補助光源が配光の中心線方向において主光源の後方に隠れて配置されて成ることを特徴とする調色照明装置。
【請求項２】
各補助光源が配光の中心線方向に直交する一つの面内に配置されて成ることを特徴とする請求項１記載の調色照明装置。
【請求項３】
主光源と各補助光源とが配光の中心線上に配列されて成ることを特徴とする請求項１記載の調色照明装置。
【請求項４】
全ての補助光源は発光部を互いに向き合わせるように配置されて成ることを特徴とする請求項１記載の調色照明装置。
【発明の詳細な説明】
【０００１】
【産業上の利用分野】
本発明は、白色系の発光色を有する光源からの光と他の発光色を有する光源からの光とを混色することにより、白色系の範囲で調色するようにした調色照明装置に関するものである。
【０００２】
【従来の技術】
従来より、この種の調色照明装置として、図７に示すように、下面に開口５ａを有する器具本体５内に発光色の異なる複数本のランプ１ａ〜１ｄを配列したものがある。この調色照明装置は照明色を白色系の範囲内として色温度を調節するものであって、たとえば赤色と緑色と青色との混色で白色とすると青色のランプのように発光光量の少ないランプによって全体の光量が制限されてしまうのを防止するために、光量が比較的大きい白色系の発光色を有したランプ１ａを主光源として用いるとともに、他の発光色を有したランプ１ｂ〜１ｄを補助光源として用いて白色系の光に他の色の光を混色し、ランプ１ｂ〜１ｄの光量を調節することで色温度の調節を可能としているのである。器具本体５の開口５ａは、混色性を高めるために全面に亙って拡散パネル７で覆われる。ここで、各ランプ１ａ〜１ｄは、器具本体５の開口面に沿う一つの平面内に配列されている。
【０００３】
【発明が解決しようとする課題】
上記構成では、ランプ１ａ〜１ｄが一つの面内に配列されており、互いに離れて配置されているランプ１ａ〜１ｄ（たとえばランプ１ａとランプ１ｄ）の間では十分な混色が行なわれず、ランプ１ａ〜１ｄの配列方向における拡散パネル７の両端部では、光色の差が大きくなって色むらが大きくなるという問題が生じる。
【０００４】
また、拡散パネル７に到達する光のうち、図８に実線で示すように各ランプ１ａ〜１ｄ（図ではランプ１ｂとランプ１ｃとを示している）の直下に放射される光の光量は、図８に破線で示すように他のランプ１ａ〜１ｄから斜めに放射される光に比べて多くなるから、拡散パネル７において各ランプ１ａ〜１ｄの直下では、対応するランプ１ａ〜１ｄの光色が強くなり、拡散パネル７の各部位での光色の差が大きくなるという問題もある。
【０００５】
この問題を解決するものとして、図９に示すように各ランプ１ａ〜１ｄの下方に補助反射板１１を配置することによって、図１０に実線で示すように各ランプ１ａ〜１ｄの直下に向かう光を斜めに反射し、拡散パネル７で各色の光量を均一化することが考えられる。しかしながら、この構成を採用すると、補助反射板１１の分だけ部品点数が多くなり、構造が複雑になるという問題が生じる。
【０００６】
本発明は上記問題点に鑑みて発明したものであり、色むらが少なく、かつ別途に部材を追加する必要のない簡単な構成の調色照明装置を提供することを目的とするものである。
【０００７】
【課題を解決するための手段】
請求項１の発明は、光量が比較的大きい白色系の発光色を有する主光源と、それぞれ赤色系、緑色系、青色系の発光色を有し光量が調節自在な３種類の補助光源とを備え、配光の中心線方向において主光源が補助光源よりも前方に配置され、かつ少なくとも緑色系の発光色を有する補助光源が配光の中心線方向において主光源の後方に隠れて配置されて成ることを特徴とする。
請求項２の発明では、請求項１の発明において、各補助光源が配光の中心線方向に直交する一つの面内に配置されているのである。
【０００８】
請求項３の発明では、請求項１の発明において、主光源と各補助光源とが配光の中心線上に配列されているのである。
請求項４の発明では、請求項１の発明において、全ての補助光源は発光部を互いに向き合わせるように配置されているのである。
【０００９】
【作用】
請求項１の構成によれば、配光の中心線方向において主光源を補助光源よりも前方に配置しているのであって、照明色にもっとも近い発光色である主光源を補助光源に対して配光の中心線方向における前方に配置していることによって、主光源を後方に配置する場合に比較して、色むらが少なくなるとともに白色系の照明を高輝度で効率よく行なうことができる。さらに、主光源と補助光源とについて従来構成とは配置位置を変更しているだけであって別途部材の追加がないから、容易に実現できるものである。また、補助光源のうちではもっとも視感度が高い緑色系の発光色の補助光源を主光源の後方に隠すことによって緑色系の光色が強くなるのを防止しているから、混色性が高くなるのである。
【００１０】
請求項２の構成によれば、主光源と各補助光源とを略等距離に配置することができるから主光源と補助光源との光の混色性を高めることができ、しかも、補助光源同士が比較的近接して配置されるから補助光源同士の光の混色性も高まる。すなわち、全体として色むらが少なくなるのである。
請求項３の構成によれば、主光源と各補助光源とが配光の中心線上に配列されるから、各補助光源から放射される光が配光の中心線に対してほぼ対称になって色むらが目立たなくなる。
【００１１】
請求項４の構成によれば、全ての補助光源が発光部を互いに向き合わせるように配置されていることによって、各補助光源の相互の距離を小さくすることができ、補助光源同士の光の混色性を一層高めることができる。しかも、補助光源が発光部を互いに向き合わせて配置され、かつ主光源が補助光源よりも配光の中心線方向の前方に配置されることによって、補助光源は主光源を囲むように配置されることになり、各補助光源からの光と主光源からの光との混色性も高まることになる。その結果、色むらの少ない混色光を得ることができるのである。
【００１２】
【実施例】
（実施例１）
本実施例は、図１に示すように、主光源となる白色系の発光色を有するランプ１ａが、他の発光色を有した補助光源となるランプ１ｂ〜１ｄに対して下方に配置されている点で図７に示した従来構成と異なるものである。他の構成について図７と同符号を付した部材は同様のものである。
【００１３】
ランプ１ａ〜１ｄには、互いに平行な一対の直管状バルブの内部空間を一端部で連結した構造のバルブを有した蛍光ランプを用いており、補助光源となるランプ１ｂ〜１ｄにはそれぞれ赤色系、緑色系、青色系のものを用いている。ランプ１ａ〜１ｄは直管状バルブを左右に並べる形で配置され、またランプ１ｂ〜１ｄは一つの平面上に互いに略平行となるように配列されている。ここでは、補助光源となるランプ１ｂ〜１ｄのうち中央のランプ１ｃを補助光源のうちではもっとも視感度が高く光量の多い緑色系の発光色としており、このランプ１ｃをランプ１ａの後方に隠すことによって緑色系の光色が強くなるのを防止し、混色性を高めている。また、器具本体５の内側には下方ほど広がる形状に形成された反射板６が配設されている。各ランプ１ａ〜１ｄは電子安定器のような安定器８により各別に調光制御され、ランプ１ａ〜１ｄの光量を調節できるようになっている。
【００１４】
上記構成では、ランプ１ｂ〜１ｄを近接させることができるから、比較的狭い領域で白色系以外の光が混色されることになり、ランプ１ｂ〜１ｄからの光の混色性がよくなる。しかも、ランプ１ｂ〜１ｄの配列方向において器具本体５の中央部分にランプ１ｂ〜１ｄを配置することができるから、拡散パネル７の両端部での色むらが低減されることになる。さらに、各ランプ１ｂ〜１ｄとランプ１ａとの距離が略等距離になることによって、白色系と他の色との混色性も高まり、このことによっても色むらの少ない白色系の照明色を得ることができる。また、白色系のランプ１ａが他のランプ１ｂ〜１ｄよりも拡散パネル７に近い側に配置されていることによって輝度が高くなる。加えて、器具本体５の左右方向の寸法は、従来構成に比較して白色系のランプ１ａの寸法分だけ縮小することができ、器具本体５の取付面積を従来構成よりも小さくすることができる。
【００１５】
本実施例において、赤色系と青色系とのランプ１ｂ，１ｄは、図１の左右のどちらに配設してもよいのはいうまでもない。また、ランプ１ａ〜１ｄの形状についてもとくに限定されるものではない。
（実施例２）
本実施例は、ランプ１ａ〜１ｄを上下方向の一直線上に配列したものである。すなわち、図２に示すように、白色系のランプ１ａの上方に他の発光色のランプ１ｂ〜１ｄを上下に配列しているのであって、各ランプ１ａ〜１ｄは直管状バルブを左右に並べる形で配置されている。
【００１６】
各ランプ１ａ〜１ｄは開口５ａの中央の上方に配置され（すなわち、配光の中心線上に配置され）、各ランプ１ａ〜１ｄからの光は図２に矢印で示すように配光の中心線に対して略対称になる。したがって、各ランプ１ａ〜１ｄから拡散パネル７に到達する光量比が拡散パネル７の各部位で略均等になり、色むらが目立ちにくくなる。ここで、緑色系の光は赤色系や青色系の光に比べて視感度が高く、また緑色系のランプ１ｃの光量は他の発光色のランプ１ｂ，１ｄの光量よりも多いので、緑色系のランプ１ｃを赤色系および青色系のランプ１ｂ，１ｄの上方に配置するのが望ましい。また、赤色系および青色系のランプ１ｂ，１ｄはどちらを上にしてもよい。他の構成は実施例１と同様である。
【００１７】
（実施例３）
本実施例は、図３に示すように、白色系のランプ１ａの上方において他の発光色のランプ１ｂ〜１ｄの発光部を互いに向き合わせて配設したものである。すなわち、図３において各ランプ１ｂ〜１ｄの中心位置が三角形の頂点位置となるように配置しているのである。また、緑色系のランプ１ｃについては直管状バルブを左右に配置し、白色系と赤色系と青色系とのランプ１ａ，１ｂ，１ｄについては直管状バルブを上下に配置している。
【００１８】
本実施例の構成では、赤色系と緑色系と青色系の各ランプ１ｂ〜１ｄが発光部を互いに向かい合わせて配置されていることにより、白色系以外の各ランプ１ｂ〜１ｄが互いに略等距離に配置されることになり、図４に矢印で示すように、ランプ１ｂ〜１ｄからの光が互いに混色され合うのであって、高い混色性が得られるのである。この混色光は図４に下向きの矢印で示すように下方に取り出される。また、ランプ１ｂ〜１ｄが白色系のランプ１ａを囲む形で配置されるから、ランプ１ｂ〜１ｄからの光と白色系のランプ１ａからの光とが略均一に混色されるのである。
【００１９】
ここで、図５に示すように白色系のランプ１ａの直管状バルブを左右に配置したり、図６に示すように緑色系のランプ１ｃの直管状バルブを上下に配置したりしてもよい。とくに、図６の構成は緑色系のランプ１ｃの光量が多い場合に有効である。ただし、赤色系および青色系のランプ１ｂ，１ｄについては、直管状バルブを左右に配置すると混色性が低下し、また混色された光を下方に取り出しにくくなるから、ランプ１ｂ，１ｄについては直管状バルブを上下に配置しておくのが望ましい。他の構成については実施例１と同様である。
【００２０】
【発明の効果】
請求項１の発明は、配光の中心線方向において主光源を補助光源よりも前方に配置しているので、照明色にもっとも近い発光色である主光源を補助光源に対して配光の中心線方向における前方に配置することになり、主光源を後方に配置する場合に比較して、色むらが少なくなるとともに白色系の照明を高輝度で効率よく行なうことができるという効果がある。さらに、主光源と補助光源とについて従来構成とは配置位置を変更しているだけであって別途部材の追加がないから、容易に実現できるという利点がある。また、補助光源のうちではもっとも視感度が高い緑色系の発光色の補助光源を主光源の後方に隠すことによって緑色系の光色が強くなるのを防止しているから、混色性が高くなるという効果を奏する。
【００２１】
請求項２の発明では、主光源と各補助光源とを略等距離に配置することができるので、主光源と補助光源との光の混色性を高めることができ、しかも、補助光源同士が比較的近接して配置されるから補助光源同士の光の混色性も高まり、全体として色むらが少なくなるという効果を奏する。
請求項３の発明は、主光源と各補助光源とを配光の中心線上に配列しているので、各補助光源から放射される光が配光の中心線に対してほぼ対称になって色むらが目立たなくなるという効果がある。
【００２２】
請求項４の発明は、すべての補助光源が発光部を互いに向き合わせるように配置されているので、各補助光源の相互の距離を小さくすることができ、補助光源同士の光の混色性を一層高めることができるという効果がある。しかも、補助光源が発光部を互いに向き合わせて配置され、かつ主光源が補助光源よりも配光の中心線方向の前方に配置されることによって、補助光源は主光源を囲むように配置されることになり、各補助光源からの光と主光源からの光との混色性も高まることになる。その結果、色むらの少ない混色光を得ることができるという利点を有するのである。
【図面の簡単な説明】
【図１】実施例１を示す断面図である。
【図２】実施例２を示す断面図である。
【図３】実施例３を示す断面図である。
【図４】実施例３を示す要部断面図である。
【図５】実施例３の他の形態を示す要部の概略構成図である。
【図６】実施例３のさらに他の形態を示す要部の概略構成図である。
【図７】従来例を示す断面図である。
【図８】従来例の要部断面図である。
【図９】他の従来例を示す断面図である。
【図１０】他の従来例の要部断面図である。
【符号の説明】
１ａ〜１ｄ  ランプ
【図１】
0003596009.tif 000002
【図２】
0003596009.tif 000003
【図３】
0003596009.tif 000004
【図４】
0003596009.tif 000005
【図５】
0003596009.tif 000006
【図６】
0003596009.tif 000007
【図７】
0003596009.tif 000008
【図８】
0003596009.tif 000009
【図９】
0003596009.tif 000010
【図１０】
0003596009.tif 000011